(57)【要約】【課題】漏洩磁束結合によるテレメトリーシステムにおいて、発信側のコイルないし磁界放射手段と受信側のコイルないし磁界受信手段とが直交してしまうと通信できないという死角が存在する問題を解決せんとする。【解決手段】発信側の放射コイルＬ１、Ｌ２、Ｌ３をｘｙｚ３軸に各々設け、それらを１つの送信用発振器もしくは終段増幅器で駆動しつつ、基本波および高調波の中から選択された複数の調波成分を分担放射せしめる【選択図】図２
2019186898.tif 000002
【特許請求の範囲】
【請求項１】
１つの変調された発振器の発振出力の基本波と高調波もしくは分周調波の中から選択された複数の調波成分を各々異なる方位角にて漏洩磁束放射する磁界結合近接テレメーター発信機
【請求項２】
１つの変調された発振器により駆動される終段増幅器の出力の基本波と高調波もしくは分周調波の中から選択された複数の調波成分を各々異なる方位角にて漏洩磁束放射する磁界結合近接テレメーター発信機
【発明の詳細な説明】
【発明の詳細な説明】
【０００１】（背景と課題定義）本発明はリケージフラックス結合を用いる磁界結合近接テレメトリー発信機に関し、特に発信側と受信側が相互にいかなる角度の立場になっても結合を維持できるように工夫した物に関する。至近距離におけるリケージフラックス結合テレメトリーは、科学技術ないし産業用においては一般的な壁を隔てての計測とデータ取得に、また医療用ないし生体工学用には体内における計測の体外からのデータ取得に、汎用される所であるが、１つの大きな欠点は発信側のコイルないし磁界放射手段と受信側のコイルないし磁界受信手段とが直交してしまうと通信できないという死角が存在する事である。
【０００２】（解決策）本発明は特にＣＷないし狭帯域の動作をするリケージフラックス結合近接テレメトリーシステムにおいてこの死角の問題を解決するために、発信側の放射コイルをｘｙｚ３軸に各々設け、それらを１つの送信用発振器もしくは終段増幅器で駆動しつつ、基本波および高調波の中から選択された複数の調波成分を分担放射せしめる事で解決する物である。以下、その典型的な好ましい実施例の１つとして体腔内用の環境圧および音響信号のセンサテレメーター発信器の場合を例示しつつ本発明の主旨を述べる。
【０００３】（好ましい実施例）図１は本発明の趣旨を実施する１つの好ましい実施例であり、また本発明の原理や趣旨を説明するためにも有益な図である。これにおいて、トランジスタＱ１は周辺部品特にＬ１（ないし別名Ｔ１）のなす共振回路を相手に通常と何ら変哲もない趣旨で発振回路をなす。この発振回路において周波数決定要素となるＬ１の相手の共振コンデンサＣ１とＣＶ１は、その中でＣＶ１がセンサとなる可変コンデンサである。１例としてここでは感圧性の可変コンデンサである事が出来、周囲の環境圧（絶対圧）やその高域成分である音響信号に対して感受性を持つ。以ってこの発振回路の発信周波数は環境圧で周波数変調される事になる。
【０００４】一方でこの発振トランジスタＱ１のコレクタ側には図示のごとく別のタンク回路が２つ直列に入っている。これらの内Ｌ２とＣＶ２の成す共振回路はＬ１とＣ１およびＣＶ１の決める発振周波数の大略２倍に、またＬ３とＣＶ３の成すタンク回路は大略３倍に、同調されている。これらの付加タンク回路はその今日死人ピーダンスが適当に小さく、すなわちハイＣロウＬに出来ていて、Ｑ１とＬ１およびＣ１とＣＶ１の発振回路の動作に邪魔にならないように工夫されている。この構成によりこれら付加タンク回路は発振トランジスタＱ１のパルス状のコレクタ電流の中から第２高調波成分および第３高調波成分を一部盗用して共振する。結果としてＬ１からは基本波の、Ｌ２とＬ３からは各々第２、３高調波の漏洩磁束が周囲に撒き散らされる事になる。
【０００５】図２は図１の構成によるこれら３つの漏洩磁束を方位角空間において各々が略直交するように放射せしめる構成を示す。すなわちこれに示すごとくコイルＬ１、２、３は各々の中心軸がｘ、ｙ、ｚの直交する３方向に向けてテレメーター発信機の電気絶縁性かつ透磁性の外筐（ｅｎｃｌｏｓｕｒｅ）の中に配置されている。これにより外界からは図示せぬ漏洩磁束受信機により如何なる角度から観測してもこれら３つのコイルの放射する漏洩磁束のうち少なくとも１つ以上が観測できる事になる。
【０００６】前記感圧性の可変コンデンサとしては一般的に知られているコンデンサマイクの構造物を援用する事ができるが、また特に大きな静電容量を持つ構造物が欲しい場合には特許第２９７２７８９号に見られる手法および構造物を用いる事ができる。
【０００７】（変形された実施例）以上が本発明の基本概念および基本的な実施例であるが、以下のような変形もまた好ましい実施例である事ができる。すなわち、図１の回路構成では発振コイルの基本波も利用するが、これを利用せず、コレクタ側に３つの高調波同調回路を挿入して例えば第２、３、４高調波を放射のために利用するように構成しても良い。この利用する高調波の次数は任意であり、お互いに他と異なる事だけが必須事項である。
【０００８】その場合さらに基本波の発振回路はＬＣタンク同調回路を持たない、例えばＣＲ弛張発信器、水晶またはセラミックなどの共振子を発振子とする発振器などであっても良い。それらの場合も感圧性の可変コンデンサは周囲圧を発振周波数に反映させるために使う事ができる。特に水晶またはセラミックなどの共振子の発振回路においては共振子（発振子）に直列に挿入された感圧性の可変コンデンサは周囲圧を発振周波数に反映させる事ができる。
【０００９】以上において観測されるべき目的の周囲圧現象を感圧性可変コンデンサにより周波数変調の形で獲得伝送する場合の事を述べたが、変調は周波数変調に限定される事はなく、センサと付加支援電子回路如何では振幅変調、断続変調ないしパルス変調、またさらには別途用意されたディジタルビットストリームによる周波数、振幅、位相、断続などの変調である事を妨げる物ではない。さらに発信機の存在の検出、確認，同定だけが目的のマーカービーコンの場合には無変調キャリヤの放射だけで良い事は自明である。
【００１０】また発信機と受信機の位置関係が１次元分縮退している場合，例えばお互いに異なる平行平面内で向きを拘束されつつ這いつくばうように移動するだけの場合には、その面に垂直な方向（例えば図２のＺ軸）を省略してｘ、ｙの２つだけにする事もでき、そのような実施も本発明の範疇の中に収まる。
【００１１】さらにまた基本波とその高調波（ハーモニックス）という組み合わせの他に基本波とその分周調波（サブハーモニックス）という組み合わせによっても本発明の趣旨を実施できる。この場合高調波発生は単純にひずみが多い発振器の発振信号を同調回路で選り分ければ得られるのに対しディジタル的な分周機内誌カウンタを必要とするが、テレメーター発信機として内部にディジタルシステムを有する場合にはそれに便乗含有される形で分周器ないしカウンタを持つ事は容易であり、同調回路を複数個持つよりもその方が簡便な場合はあり得る。
【００１２】また図１の説明において発振用にトランジスタ１つのみを用い、その発振動作中のコレクタ電流から高調波を抽出する旨を主旨としたが、これは発振回路手段を別途設けてその出力でもってＱ１を終段増幅器として用いてこれを駆動するという構成である事もできる。
【００１３】（まとめ）すなわち本発明は、１つの変調された発信器の発信出力の基本波と高調波の中から選択された複数の調波成分を各々異なる方位角にて漏洩磁束放射する磁界結合近接テレメーター発信機である事が出来る。
【００１４】さらに本発明は、１つの変調された発信器の発信出力の基本波と分周調波の中から選択された複数の調波成分を各々異なる方位角にて漏洩磁束放射する磁界結合近接テレメーター発信機である事が出来る。
【００１５】以上の説明により明らかにされた如く、本発明の実施によれば壁の向こうの（例えば体腔内の）テレメーター発振器から漏洩磁束結合により観測方位角空間において死角を生ずる事なく壁の手前（例えば体腔外）で受信する事に大きく貢献し、益する所大である。
【図面の簡単な説明】
【００１６】
【図１】本発明の好ましい実施例における電子回路配置の１例を示す。これにおいて、Ｌ１（Ｔ１）発振周波数ｆｏｓｃ用の発振用同調コイル（トランス）  Ｌ２，Ｌ３  各々２ｆｏｓｃ，３ｆｏａｃ用の同調コイル  ＣＶ１，ＣＶ２，ＣＶ３，可変コンデンサ  Ｑ１  発振用トランジスタ  Ｒ１，Ｒ２，Ｒ３，抵抗  Ｃ１，Ｃ２，Ｃ３，コンデンサ  Ｓ１  電源スイッチ  ＢＴ１  電池
【図２】本発明の前期実施例における３つのコイルの位置関係を例示する図である。これにおいて、Ｌ１，Ｌ２，Ｌ３，図１の物と同じ  ｘ，ｙ，ｚ，３次元空間の直交する３つの座標軸  ｅｎｃｌｏｓｕｒｅ匡体
【図１】
2019186898.tif 000003
【図２】
2019186898.tif 000004